(57)【要約】【課題】  雄型コンタクト除去工程を不要として雄型コンタクト取付工程を簡略化できる雌型コネクタを提供する。【解決手段】  雌型コネクタ１は、相手雄型コネクタＣを受容する受容凹部１２ａ，１２ｂ，１２ｃを有する雌型ハウジング１０と、雌型ハウジング１０の嵌合凹部１２ａ，１２ｂ，１２ｃの底面１５から嵌合凹部１２ａ，１２ｂ，１２ｃの内部に突出する複数列の雄型コンタクト２０と、嵌合凹部１２ａ，１２ｂ，１２ｃの底面１５から嵌合凹部１２ａ，１２ｂ，１２ｃの内部に突出し、雄型コンタクト２０よりも底面１５からの突出長さが長いリブ１３とを具備している。リブ１３は、雄型コンタクト２０が配列される領域に設けられると共に、リブ１３には、雄型コンタクト２０を受容する雄型コンタクト受容キャビティ１４が設けられている。【選択図】      図１
2005317284.tif 000002
【特許請求の範囲】
【請求項１】
相手雄型コネクタを受容する受容凹部を有する雌型ハウジングと、該雌型ハウジングの前記嵌合凹部の底面から前記嵌合凹部の内部に突出する複数列の雄型コンタクトと、前記嵌合凹部の前記底面から前記嵌合凹部の内部に突出し、前記雄型コンタクトよりも前記底面からの突出長さが長いリブとを具備する雌型コネクタにおいて、
前記リブを、前記雄型コンタクトが配列される領域に設けると共に、前記リブに、前記雄型コンタクトを受容する雄型コンタクト受容キャビティを設けたことを特徴とする雌型コネクタ。
【発明の詳細な説明】
【技術分野】
【０００１】
本発明は、相手雄型コネクタと嵌合し、この相手雄型コネクタを回路基板等に電気的に接続するための雌型コネクタに関する。
【背景技術】
【０００２】
従来より、絶縁ハウジングを雌型にした雌型ハウジングに雄型コンタクトを取り付けた雌型コネクタが知られている。この雌型コネクタは、絶縁ハウジングを雄型にした雄型ハウジングに雌型コンタクトを取り付けた相手雄型コネクタと嵌合し、この相手雄型コネクタを回路基板等に電気的に接続するようになっている。
従来のこの種の雌型コネクタとして、例えば、図８に示すものが知られている（特許文献１参照）。
【０００３】
この雌型コネクタ１０１は、相手雄型コネクタ（図示せず）を受容する複数の嵌合凹部１１０ａ〜１１０ｄを有する雌型ハウジング１１０と、嵌合凹部１１０ａ〜１１０ｄの底面から嵌合凹部１１０ａ〜１１０ｄ内に突出する複数列の雄型コンタクト１２０とを具備している。各雄型コンタクト１２０は、雌型ハウジング１１０から嵌合凹部１１０ａ〜１１０ｄとは逆方向に突出するタイン部１２１を有し、タイン部１２１が図示しない回路基板に接続されるようになっている。
【０００４】
そして、雌型ハウジング１１０には、各嵌合凹部１１０ａ〜１１０ｄの底面から嵌合凹部１１０ａ〜１１０ｄの内部に突出する複数のリブ１１１が設けられている。これらリブ１１１は、図８（Ｂ）に示すように、各嵌合凹部１１０ａ〜１１０ｄの底面から雌型ハウジング１１０の前端面（図８（Ｂ）における右端面）と同一面まで延び、各嵌合凹部１１０ａ〜１１０ｄ内に突出する雄型コンタクト１２０よりも前記底面からの突出長さが長くなっている。このため、相手雄型コネクタを雌型コネクタ１０１に対して斜めに挿入しようとすると、相手雄型コネクタが、雄型コンタクト１２０の先端部に接触する前に必ず、雌型ハウジング１１０及びリブ１１１に当接する。これにより、雄型コンタクト１２０の先端部は、相手雄型コネクタを雌型コネクタ１０１に挿入する際に破損又は変形することはないのである。
【特許文献１】特開平４−２０６４８３号公報
【発明の開示】
【発明が解決しようとする課題】
【０００５】
しかしながら、この従来の雌型コネクタ１０１にあっては、図８（Ａ）に示すように、リブ１１１が配置された領域には雄型コンタクト１２０が配置されていない。雄型コンタクト１２０を雌型ハウジング１１０に取り付けるには、各列の雄型コンタクト１２０群を雌型ハウジング１１０の後方から打ち込み加工によって取り付けるのが一般的である。しかし、雌型コネクタ１０１にあっては、リブ１１１が配置された領域には雄型コンタクト１２０が配置されていないので、リブ１１１が配置された領域の雄型コンタクト１２０を除去する工程が必要となる。そして、除去された雄型コンタクト１２０は廃棄されてしまうのが一般的である。
従って、本発明は上述の問題点に鑑みてなされたものであり、その目的は、雄型コンタクト除去工程を不要として雄型コンタクト取付工程を簡略化できる雌型コネクタを提供することにある。
【課題を解決するための手段】
【０００６】
上記問題を解決するため、本発明に係る雌型コネクタは、相手雄型コネクタを受容する受容凹部を有する雌型ハウジングと、該雌型ハウジングの前記嵌合凹部の底面から前記嵌合凹部の内部に突出する複数列の雄型コンタクトと、前記嵌合凹部の前記底面から前記嵌合凹部の内部に突出し、前記雄型コンタクトよりも前記底面からの突出長さが長いリブとを具備する雌型コネクタにおいて、前記リブを、前記雄型コンタクトが配列される領域に設けると共に、前記リブに、前記雄型コンタクトを受容する雄型コンタクト受容キャビティを設けたことを特徴としている。
【発明の効果】
【０００７】
本発明に係る雌型コネクタによれば、リブを、雄型コンタクトが配列される領域に設けると共に、前記リブに、前記雄型コンタクトを受容する雄型コンタクト受容キャビティを設けたので、リブを設けた領域の雄型コンタクトを除去する必要はなく、コンタクト取付工程を簡略化できる。そして、リブの雄型コンタクト受容キャビティには雄型コンタクトが受容されるので、雄型コンタクトにより、リブを補強することができる。
【発明を実施するための最良の形態】
【０００８】
次に本発明の実施形態を図面を参照して説明する。図１は本発明に係る雌型コネクタの斜視図である。図２は図１の矢印Ａで示す部分の拡大図である。図３は図１の雌型コネクタの正面図である。図４は図１の雌型コネクタの一部を断面した平面図である。図５は図１の雌型コネクタの背面図である。図６は図１の雌型コネクタの右側面図である。図７は図３の７−７線に沿う断面図である。
【０００９】
図１乃至図７において、雌型コネクタ１は、雌型ハウジング１０と、複数の雄型コンタクト２０とを備えている。
ここで、雌型ハウジング１０は、長手方向（図１における左右方向）に延びる略矩形状の基部１１と、この基部１１から前方（図７における左方）に突出する複数（本実施形態にあっては３つ）の嵌合凹部１２ａ，１２ｂ，１２ｃとを備えている。各嵌合凹部１２ａ，１２ｂ，１２ｃは、それぞれ、相手雄型コネクタＣ（図４参照）を受容するものであって、長手方向において所定ピッチで配置されている。本実施形態においては、各嵌合凹部１２ａ，１２ｂ，１２ｃは相手雄型コネクタＣの外形形状に合わせて外形が略矩形状に形成されている。雌型ハウジング１０は、絶縁性の樹脂を成形することによって形成される。
【００１０】
また、雄型コンタクト２０は、各嵌合凹部１２ａ，１２ｂ，１２ｃにおいて複数列（本実施形態にあっては５列）に配列されている。各雄型コンタクト２０は、ピン状に形成され、各嵌合凹部１２ａ，１２ｂ，１２ｃの底面１５から嵌合凹部１２ａ，１２ｂ，１２ｃの内部に突出する接触部２１と、接触部２１から嵌合凹部１２ａ，１２ｂ，１２ｃとは逆方向に延びるタイン部２２とを備えている。各雄型コンタクト２０は、金属板を打抜き及び曲げ加工することによって形成される。各雄型コンタクト２０の接触部２１は、相手雄型コネクタＣに設けられた雌型コンタクト（図示せず）に接触し、その一方、タイン部２２は回路基板に接続される。
【００１１】
また、雌型ハウジング１０には、各嵌合凹部１２ａ，１２ｂ，１２ｃの底面１５から嵌合凹部１２ａ，１２ｂ，１２ｃの内部に突出する複数（本実施形態にあっては各嵌合凹部に１つで合計３つ）のリブ１３が設けられている。これらリブ１３は、図４及び図７に最もよく示すように、各嵌合凹部１２ａ，１２ｂ，１２ｃの底面１５から嵌合凹部１２ａ，１２ｂ，１２ｃの略中間部まで延び、各嵌合凹部１２ａ，１２ｂ，１２ｃ内に突出する雄型コンタクト２０の接触部２１よりも前記底面１５からの突出長さが長くなっている。このため、相手雄型コネクタＣを雌型コネクタ１に対して斜めに挿入しようとすると、相手雄型コネクタＣが、雄型コンタクト２０の接触部２１の先端部に接触する前に必ず、雌型ハウジング１０及びリブ１３に当接する。このため、雄型コンタクト２０の接触部２１の先端部は、相手雄型コネクタＣを雌型コネクタ１に挿入する際に破損又は変形することはない。
【００１２】
そして、各リブ１３は、図１、図２及び図３に最もよく示すように、長手方向に延びる略矩形形状で形成され、雄型コンタクト２０の接触部２１が配列される領域に設けられている。本実施形態にあっては、各リブ１３は上から３列目の雄型コンタクト２０の接触部２１列上に設けられている。そして、各リブ１３には、雄型コンタクト２０の接触部２１を受容する複数（本実施形態にあっては４つ）の雄型コンタクト受容キャビティ１４が形成され、雄型コンタクト２０の接触部２１列のうち一部の接触部２１が、図７に最もよく示すように、雄型コンタクト受容キャビティ１４内に受容されている（図７には嵌合凹部１２ｃ内の接触部２１が受容される状態のみを示す）。
【００１３】
ここで、雄型コンタクト２０を雌型ハウジング１０に取り付けるには、各列の雄型コンタクト２０群を雌型ハウジング１０の後方から打ち込み加工によって取り付ける。本実施形態にあっては、リブ１３は雄型コンタクト２０の接触部２１が配列される領域に設けられ、リブ１３には、雄型コンタクト２０の接触部２１を受容する雄型コンタクト受容キャビティ１４が形成されているので、リブ１３を設けた領域の雄型コンタクト２０を除去する必要はなく、リブ１３を設けた領域の雄型コンタクト２０列も他の雄型コンタクト２０列と同様に雌型ハウジング１０の後方から打ち込み加工によって取り付けることができる。従って、コンタクト取付工程を従来と比べて簡略化できる。
そして、リブ１３の雄型コンタクト受容キャビティ１４には雄型コンタクト２０の接触部２１が受容されるので、雄型コンタクト２０の接触部２１により、リブ１３を補強することができる。
【００１４】
このように構成された雌型コンタクト１の雄型コンタクト２０のタイン部２２を回路基板に接続し、そして、相手雄型コネクタＣを雌型コネクタ１の受容凹部１２ａ，１２ｂ，１２ｃに挿入し、相手雄型コネクタＣを雌型コネクタ１に嵌合する。これにより、相手雄型コネクタＣの雌型コンタクトが雌型コネクタ１の雄型コンタクト２０の接触部２１に接触し、相手雄型コネクタＣの雌型コンタクトと回路基板とが電気的に接続される。また、相手雄型コネクタＣと雌型コネクタ１との嵌合を解除すると、相手雄型コネクタＣの雌型コンタクトと回路基板との電気的接続が解除される。
【００１５】
以上、本発明の実施形態について説明してきたが、本発明はこれに限定されずに種々の変更、改良を行うことができる。
例えば、嵌合凹部１２ａ，１２ｂ，１２ｃは複数設ける必要はなく、１つであってもよい。
また、嵌合凹部１２ａ，１２ｂ，１２ｃの外形は、相手雄型コネクタＣの外形形状に合わせてあればよく、必ずしも略矩形状に形成されている必要はない。
更に、雄型コンタクト２０は、各嵌合凹部１２ａ，１２ｂ，１２ｃにおいて複数列に配列されていればよく、必ずしも５列に限られない。
【００１６】
また、リブ１３の数は、各嵌合凹部１２ａ，１２ｂ，１２ｃに１つづつに限らず、各嵌合凹部１２ａ，１２ｂ，１２ｃに複数個づつ設けてもよい。
また、リブ１３は各嵌合凹部１２ａ，１２ｂ，１２ｃにおいて上から３列目の雄型コンタクト２０の接触部２１列上に設けられる必要はなく、雄型コンタクト２０の接触部２１が配列される領域であれば、他の接触部２１列上であってもよい。
更に、リブ１３に形成される雄型コンタクト受容キャビティ１４の数は、複数である必要はなく、単数であってもよい。
【図面の簡単な説明】
【００１７】
【図１】本発明に係る雌型コネクタの斜視図である。
【図２】図１の矢印Ａで示す部分の拡大図である。
【図３】図１の雌型コネクタの正面図である。
【図４】図１の雌型コネクタの一部を断面した平面図である。
【図５】図１の雌型コネクタの背面図である。
【図６】図１の雌型コネクタの右側面図である。
【図７】図３の７−７線に沿う断面図である。
【図８】従来例の雌型コネクタを示し、（Ａ）は正面図、（Ｂ）は（Ａ）の８Ｂ−８Ｂ線に沿う断面図である。
【符号の説明】
【００１８】
１  雌型コネクタ
１０  雌型ハウジング
１３  リブ
１４  雄型コンタクト受容キャビティ
１５  底面
２０  雄型コンタクト
１２ａ，１２ｂ，１２ｃ  受容凹部
Ｃ  相手雄型コネクタ
【図１】
2005317284.tif 000003
【図２】
2005317284.tif 000004
【図３】
2005317284.tif 000005
【図４】
2005317284.tif 000006
【図５】
2005317284.tif 000007
【図６】
2005317284.tif 000008
【図７】
2005317284.tif 000009
【図８】
2005317284.tif 000010